【手続補正書】
【提出日】平成24年5月28日(2012.5.28)
【手続補正１】
【補正対象書類名】特許請求の範囲
【補正対象項目名】全文
【補正方法】変更
【補正の内容】
【特許請求の範囲】
【請求項１】
表示板基体を備えた表示板であって、前記表示板基体が、少なくとも１個の透過性基板と、少なくとも１個の透過性反射板をそれぞれ有し、該透過性反射板の少なくとも一方の表面に、凹凸状の模様を有することを特徴とする表示板。
【請求項２】
前記透過性反射板の少なくとも一方の表面に、ＵＶ反射層、または、ＵＶ吸収層を有するか、または、前記透過性反射板が、ＵＶ反射剤、または、ＵＶ吸収剤の内少なくとも一つを含有することを特徴とする請求項１に記載の表示板。
【請求項３】
前記透過性基板の少なくとも一方の表面に、ＵＶ反射層、または、ＵＶ吸収層を有するか、または、前記透過性基板が、ＵＶ反射剤、または、ＵＶ吸収剤の内少なくとも一つを含有することを特徴とする請求項１又は２に記載の表示板。
【請求項４】
前記ＵＶ反射層、前記ＵＶ吸収層、前記ＵＶ反射剤、前記ＵＶ吸収剤のうち、少なくとも前記ＵＶ吸収層を有し、前記ＵＶ吸収層が、耐光性を有する金属酸化物粒子を含む層または有機系紫外線吸収剤を含む層の少なくとも一つからなることを特徴とする請求項２又は３に記載の表示板。
【請求項５】
前記ＵＶ反射層、前記ＵＶ吸収層、前記ＵＶ反射剤、前記ＵＶ吸収剤のうち、少なくとも前記ＵＶ吸収剤を含有し、前記ＵＶ吸収剤が、耐光性を有する金属酸化物粒子または有機系紫外線吸収剤の少なくとも一つからなることを特徴とする請求項２又は３に記載の表示板。
【請求項６】
前記模様が、前記透過性反射板の少なくとも一方の表面に予め形成した模様と、この模様の上に設けた光透過性着色層に形成した模様であって、且つ、前記予め形成した模様と同じ模様とから構成されているか、または、前記透過性反射板の少なくとも一方の表面に予め形成した模様と、この模様の上に設けた光透過性着色層に形成した模様であって、且つ、前記予め形成した模様と異なる模様とから構成されていることを特徴とする請求項１から５のいずれかに記載の表示板。
【請求項７】
前記模様が、前記透過性反射板の少なくとも一方の表面に予め形成した模様と、この模様の上に設けた光透過性着色層に形成した模様であって、且つ、前記予め形成した模様と同じ模様と、前記予め形成した模様の上に設けた光透過性着色層に形成した模様であって、且つ、前記予め形成した模様と異なる模様とから形成されていることを特徴とする請求項１から５のいずれかに記載の表示板。
【請求項８】
前記透過性基板の少なくとも一方の表面側に、凹凸部を有することを特徴とする請求項１〜７のいずれかに記載の表示板。
【請求項９】
前記模様を形成する工程が、前記透過性反射板の少なくとも一方の表面に光透過性着色層を形成する被覆層形成工程と、前記光透過性着色層が形成された表面に、該光透過性着色層から前記透過性反射板の表面にわたって、凹凸状の模様を施して、模様を形成する模様形成工程と、を含むことを特徴とする請求項１〜５のいずれかに記載の表示板の製造方法。
【手続補正２】
【補正対象書類名】明細書
【補正対象項目名】００１８
【補正方法】削除
【補正の内容】
【手続補正３】
【補正対象書類名】明細書
【補正対象項目名】００１９
【補正方法】削除
【補正の内容】
【手続補正４】
【補正対象書類名】明細書
【補正対象項目名】００２０
【補正方法】変更
【補正の内容】
【００２０】
本発明は、前述したような従来技術における課題及び目的を達成するために発明されたものであって、本発明の表示板は、表示板基体を備えた表示板であって、前記表示板基体が、少なくとも１個の透過性基板と、少なくとも１個の透過性反射板をそれぞれ有し、該透過性反射板の少なくとも一方の表面に、凹凸状の模様を有することを特徴とする。
【手続補正５】
【補正対象書類名】明細書
【補正対象項目名】００２４
【補正方法】削除
【補正の内容】
【手続補正６】
【補正対象書類名】明細書
【補正対象項目名】００２５
【補正方法】削除
【補正の内容】
【手続補正７】
【補正対象書類名】明細書
【補正対象項目名】００２６
【補正方法】変更
【補正の内容】
【００２６】
また、本発明の表示板は、前記模様が、前記透過性反射板の少なくとも一方の表面に予め形成した模様と、この模様の上に設けた光透過性着色層に形成した模様であって、且つ、前記予め形成した模様と同じ模様とから構成されているか、または、前記透過性反射板の少なくとも一方の表面に予め形成した模様と、この模様の上に設けた光透過性着色層に形成した模様であって、且つ、前記予め形成した模様と異なる模様とから構成されていることを特徴とする
【手続補正８】
【補正対象書類名】明細書
【補正対象項目名】００２８
【補正方法】変更
【補正の内容】
【００２８】
また、本発明の表示板は、前記模様が、前記透過性反射板の少なくとも一方の表面に予め形成した模様と、この模様の上に設けた光透過性着色層に形成した模様であって、且つ、前記予め形成した模様と同じ模様と、前記予め形成した模様の上に設けた光透過性着色層に形成した模様であって、且つ、前記予め形成した模様と異なる模様とから構成されていることを特徴とする。
【手続補正９】
【補正対象書類名】明細書
【補正対象項目名】００３０
【補正方法】削除
【補正の内容】
【手続補正１０】
【補正対象書類名】明細書
【補正対象項目名】００３１
【補正方法】削除
【補正の内容】
【手続補正１１】
【補正対象書類名】明細書
【補正対象項目名】００３２
【補正方法】変更
【補正の内容】
【００３２】
また、本発明の表示板は、前記透過性反射板の少なくとも一方の表面に、ＵＶ反射層、または、ＵＶ吸収層を有するか、または、前記透過性反射板が、ＵＶ反射剤、または、ＵＶ吸収剤の内少なくとも一つを含有することを特徴とする。
【手続補正１２】
【補正対象書類名】明細書
【補正対象項目名】００３４
【補正方法】変更
【補正の内容】
【００３４】
また、本発明の表示板は、前記ＵＶ反射層、前記ＵＶ吸収層、前記ＵＶ反射剤、前記ＵＶ吸収剤のうち、少なくとも前記ＵＶ吸収層を有し、前記ＵＶ吸収層が、耐光性を有する金属酸化物粒子を含む層または有機系紫外線吸収剤を含む層の少なくとも一つからなることを特徴とする。
【手続補正１３】
【補正対象書類名】明細書
【補正対象項目名】００３６
【補正方法】変更
【補正の内容】
【００３６】
また、本発明の表示板は、前記透過性基板の少なくとも一方の表面に、ＵＶ反射層、または、ＵＶ吸収層を有するか、または、前記透過性基板が、ＵＶ反射剤、または、ＵＶ吸収剤の内少なくとも一つを含有することを特徴とする。
【手続補正１４】
【補正対象書類名】明細書
【補正対象項目名】００３８
【補正方法】変更
【補正の内容】
【００３８】
また、本発明の表示板は、前記ＵＶ反射層、前記ＵＶ吸収層、前記ＵＶ反射剤、前記ＵＶ吸収剤のうち、少なくとも前記ＵＶ吸収剤を含有し、前記ＵＶ吸収剤が、耐光性を有する金属酸化物粒子または有機系紫外線吸収剤の少なくとも一つからなることを特徴とする。
【手続補正１５】
【補正対象書類名】明細書
【補正対象項目名】００４０
【補正方法】削除
【補正の内容】
【手続補正１６】
【補正対象書類名】明細書
【補正対象項目名】００４１
【補正方法】削除
【補正の内容】
【手続補正１７】
【補正対象書類名】明細書
【補正対象項目名】００４２
【補正方法】変更
【補正の内容】
【００４２】
また、本発明の表示板の製造方法は、前記模様を形成する工程が、前記透過性反射板の少なくとも一方の表面に光透過性着色層を形成する被覆層形成工程と、前記光透過性着色層が形成された表面に、該光透過性着色層から前記透過性反射板の表面にわたって、凹凸状の模様を施して、模様を形成する模様形成工程と、を含むことを特徴とする。
【手続補正１８】
【補正対象書類名】明細書
【補正対象項目名】００４４
【補正方法】削除
【補正の内容】
【手続補正１９】
【補正対象書類名】明細書
【補正対象項目名】００４５
【補正方法】削除
【補正の内容】